(57)【特許請求の範囲】
【請求項１】
ファクシミリ受信機能および受信したファクシミリ情報を蓄積する画像メモリを持つファクシミリ制御手段を有する画像形成装置において、
前記ファクシミリ制御手段に動作電圧を与えるための待機電力ライン，用紙上に画像を形成する手段に動作電圧を与えるための動作電力ライン，該動作電力ラインへの給電をオン／オフする手段、および、ファクシミリの着信があると前記オン／オフする手段をオンにして、ファクシミリ情報の１頁の受信開始ごとに計時を新たに開始し、計時値が設定値以上になる前に１頁のファクシミリ情報受信が終了するときは該１頁の受信情報の画像形成を開始し、計時値が設定値以上になったときは前記オン／オフ手段をオフにして、１頁のファクシミリ情報受信が終了するとき前記オン／オフ手段(83,84)をオンにして該１頁の受信情報の画像形成を開始する省エネ制御手段(61,25)、を備えることを特徴とする画像形成装置。
【請求項２】
ファクシミリ受信機能および受信したファクシミリ情報を蓄積する画像メモリを持つファクシミリ制御手段と画像蓄積メモリを有する画像形成装置において、
前記ファクシミリ制御手段に動作電圧を与えるための待機電力ライン，用紙上に画像を形成する手段に動作電圧を与えるための動作電力ライン，該動作電力ラインへの給電をオン／オフする手段、および、ファクシミリの着信があると前記オン／オフする手段をオンとし、ファクシミリ情報の１頁の受信開始ごとに計時を新たに開始し、計時値が設定値以上になる前に１頁のファクシミリ情報受信が終了するときは受信情報の画像形成を開始し、計時値が設定値以上になったときは前記オン／オフ手段をオフにしてファクシミリ情報を前記画像蓄積メモリに蓄積し、１通のファクシミリ情報受信が終了するとき前記オン／オフ手段をオンにして該１通のファクシミリ情報の中の画像形成をしていない受信情報を前記画像蓄積メモリから読み出して画像形成を開始する省エネ制御手段、を備えることを特徴とする画像形成装置。
【請求項３】
前記設定値をユーザが設定するための入力手段を更に備える、請求項１又は２の画像形成装置。
【請求項４】
入力手段は、前記設定値をユーザが設定するための設定値入力モードをユーザが指定するためのキーを含む、請求項３の画像形成装置。
【請求項５】
入力手段はＩＤ入力手段を含み、省エネ制御手段は、前記キーで前記設定値入力モードが指定された後又は前にＩＤ入力手段で入力された情報が登録されたものであるかチェックして、登録されたものであると、前記設定値入力モードで入力されるデータに前記設定値を更新する、請求項４の画像形成装置。
【請求項６】
省エネ制御手段は、ファクシミリの着信があると前記オン／オフする手段のオン／オフ状態を保存し、前記１通の受信情報の画像形成を終了すると、前記オン／オフする手段を前記保存した状態に戻す、請求項１乃至５のいずれか１つの画像形成装置。
【発明の詳細な説明】
【０００１】
【発明の属する技術分野】
本発明は、ファクシミリ受信機能を有する画像形成装置に関する。この種の画像形成装置は、例えばファクシミリ装置，ファクシミリ受信出力機能がある複合機能複写機又はプリンタもしくは、ファクシミリ受信機能があるコンピュータとプリンタとの組体、である。
【０００２】
【従来技術】
ファクシミリ受信では、ドキュメントの通信電子情報をネットワークから受信してプリンタの画像出力用の画像データに変換して、プリンタにて用紙上に受信画像を形成する。最近は、複写作業中あるいは文書プリントアウト中にもファクシミリ受信を可能とするため、また、ファクシミリ受信中にも複写作業あるいはプリント作業を可能とするために、受信する電子情報あるいはそれを画像出力用に展開した画像データを記憶媒体に蓄積して、通信電子情報の受信をすべて完了してから、プリントアウトする態様が多い。
【０００３】
【発明が解決しようとする課題】
ファクシミリの着信があると、プリンタの画像形成機構を駆動するドライバ（通電回路）に電源が投入される。画像形成機構がレーザプリンタである場合には、定着装置の定着温度を立ち上げるために、定着ヒータのフル通電が開始される。しかしながら、受信データを記憶手段に蓄積して受信完了後にプリントアウトを開始する場合は、受信データ量が多い場合、プリンタのドライバの長時間の待機通電は無駄となる。
【０００４】
例えば、ファクシミリ機能を有する複合機能複写機では、どんなに１頁あたりのデータ量がどんなに多くて受信時間が長くても、１旦着信を開始したら、その通信が終了するまで待機通電を継続する。それ故、データ受信時間が長い頁があっても、その間、効率の良い節電を行う事ができず、省エネルギーという点では不充分であった。ところが、たとえばＺＥＳＭ規格は、次世代複写機における目標規格を、３０ｃｐｍ（枚数／分）以上の高速複写機において、待機時消費電力１０Ｗ以下、スリープモード（省エネの休止モード）への移行時間１０sec以下、スリープモードからのリカバリー時間１０sec以下と定めており、省エネルギが求められている。
【０００５】
本発明は、ファクシミリ受信記録の電力消費を節減することを第１の目的とし、受信記録の即応性と省エネの両立を図ることを第２の目的とし、省エネモードの誤設定を回避することを第３の目的とし、省エネモードの誤変更を回避することを第４の目的とする。
【０００６】
【課題を解決するための手段】
（１）ファクシミリ受信機能(99,98)および受信したファクシミリ情報を蓄積する画像メモリ(94)を持つファクシミリ制御手段(61)を有する画像形成装置において、
前記ファクシミリ制御手段(91)に動作電圧(+5VE)を与えるための待機電力ライン(+5VE)，用紙上に画像を形成する手段(50,70,100)に動作電圧を与えるための動作電力ライン(+5V,+24V)，該動作電力ラインへの給電をオン／オフする手段(83,84)、および、ファクシミリの着信があると前記オン／オフする手段(83,84)をオンにして、ファクシミリ情報の１頁の受信開始ごとに計時を新たに開始し、計時値が設定値以上になる前に１頁のファクシミリ情報受信が終了するときは該１頁の受信情報の画像形成を開始し、計時値が設定値以上になったときは前記オン／オフ手段(83,84)をオフにして、１頁のファクシミリ情報受信が終了するとき前記オン／オフ手段(83,84)をオンにして該１頁の受信情報の画像形成を開始する省エネ制御手段(61,25)、を備えることを特徴とする画像形成装置（図１２）。
【０００７】
なお、理解を容易にするためにカッコ内には、図面に示し後述する実施例の対応要素，相当要素又は対応事項の記号を、参考までに付記した。以下も同様である。
【０００８】
これによれば、各ページの受信情報量が多い場合には、各ページの情報受信の継続時間が設定値(N)以上になったときに、省エネモードに切換るので、各ページの長時間の情報受信の間電力消費が少なく、省エネ効果が高い。
【０００９】
【発明の実施の形態】
（２）ファクシミリ受信機能(99,98)および受信したファクシミリ情報を蓄積する画像メモリ(94)を持つファクシミリ制御手段(61)と画像蓄積メモリ(65)を有する画像形成装置において、
前記ファクシミリ制御手段(91)に動作電圧(+5VE)を与えるための待機電力ライン(+5VE)，用紙上に画像を形成する手段(50,70,100)に動作電圧を与えるための動作電力ライン(+5V,+24V)，該動作電力ラインへの給電をオン／オフする手段(83,84)、および、ファクシミリの着信があると前記オン／オフする手段(83,84)をオンとし、ファクシミリ情報の１頁の受信開始ごとに計時を新たに開始し、計時値が設定値以上になる前に１頁のファクシミリ情報受信が終了するときは受信情報の画像形成を開始し、計時値が設定値(N)以上になったときは前記オン／オフ手段(83,84)をオフにしてファクシミリ情報を前記画像蓄積メモリ(65)に蓄積し、１通のファクシミリ情報受信が終了するとき前記オン／オフ手段(83,84)をオンにして該１通のファクシミリ情報の中の画像形成をしていない受信情報を前記画像蓄積メモリ(65)から読み出して画像形成を開始する省エネ制御手段(61,25)、を備えることを特徴とする画像形成装置（図１１）。
【００１０】
これによれば、１通のファクシミリ受信の各ページの受信情報量が少ない場合には、計時値が設定値(N)以上になることはなく、各ページが情報受信と共に即座にプリントアウトされるので、受信記録がリアルタイムとなる。すなわち受信記録の即応性が高い。この場合は、１通のファクシミリ受信時間が短いので、仮に省エネモードに切換えたてしても、省エネ効果は低い。
【００１１】
１通のファクシミリ受信の各ページの受信情報量が多い場合には、あるページの情報受信の継続時間が設定値(N)以上になったときに、省エネモードに切換るので、長時間の情報受信の間電力消費が少なく、省エネ効果が高い。
【００１２】
（３）前記設定値(N)をユーザが設定するための入力手段(20)を更に備える、上記（１）又は（２）の画像形成装置。
【００１３】
ファクシミリ受信中に、設定時間以上情報受信が継続する場合には、動作モードから省エネモードに切換えるが、ユーザによって、１通信又は各ページの情報受信時間の統計値（平均値）が異なる。例えば短時間の情報受信が多いユーザでは、それよりも長く設定時間を定め、長時間の情報受信が多いユーザではきわめて短く設定時間を定めるなどにより、受信記録の即応性と省エネの両立を図ることができる。使用者の１通信又は各ページの受信情報量の実績値にあわせた節電を実現出来る。
【００１４】
（４）入力手段(20)は、前記設定値(N)をユーザが設定するための設定値入力モードをユーザが指定するためのキー(57)を含む、上記（３）の画像形成装置。
【００１５】
これによれば、キー(57)の操作が無いと設定値(N)の更新が出来ないので、誤って設定値を変更してしまう誤操作が少なくなる。
【００１６】
（５）入力手段(20)はＩＤ入力手段を含み、省エネ制御手段(61,25)は、前記キー(57)で前記設定値入力モードが指定された後又は前にＩＤ入力手段で入力された情報が登録されたものであるかチェックして、登録されたものであると、前記設定値入力モードで入力されるデータに前記設定値(N)を更新する、上記（４）の画像形成装置。
【００１７】
これによれば、設定値(N)の更新にＩＤ入力を要するので、第３者が勝手に設定値を変更してしまわない様に、設定の保護を実現できる。
【００１８】
（６）省エネ制御手段(61,25)は、ファクシミリの着信があると前記オン／オフする手段(83,84)のオン／オフ状態を保存し、前記１通の受信情報の画像形成を終了すると、前記オン／オフする手段(83,84)を前記保存した状態に戻す、上記（１）乃至（５）のいずれか１つの画像形成装置。
【００１９】
本発明の他の目的および特徴は、図面を参照した以下の実施例の説明より明らかになろう。
【００２０】
【実施例】
−第１実施例−
図１に本発明の第１実施例の複合機能複写機の外観を示す。この複合機能複写機は、大略で、自動原稿送り装置〔ＡＤＦ〕３０と、操作部２０と、カラースキャナ１０と、カラープリンタ１００と、中継ユニット３２と、ステープラ及び作像された用紙を大量に積載可能なシフトトレイ付きのフィニッシャ３４と、両面反転ユニット３３と、給紙バンク３５と、大容量給紙トレイ３６及び１ビン排紙トレイ３１、の各ユニットで構成されている。
【００２１】
図２に、カラープリンタ１００の構成を示す。露光手段としての書き込み光学ユニットは、スキャナ１０からのカラー画像データを光信号に変換して、原稿画像に対応した光書き込みを行い、感光体ドラム１１４に静電潜像を形成する。光書き込み光学ユニットは、レーザー発光器１４１、これを発光駆動する発光駆動制御部（図示省略）、ポリゴンミラー１４３、これを回転駆動する回転用モータ１４４、ｆθレンズ１４２、反射ミラー１４６などで構成されている。感光体ドラム１１４は、矢印で示す如く反時計廻りの向きに回転するが、その周りには、感光体クリーニングユニット１２１、除電ランプ１１４Ｍ、帯電器１１９、感光体ドラム上の潜像電位を検知する電位センサー１１４Ｄ、リボルバー現像装置１２０の選択された現像器、現像濃度パターン検知器１１４Ｐ、中間転写ベルト１１５などが配置されている。
【００２２】
リボルバー現像装置１２０は、ＢＫ現像器１２０Ｋ、Ｃ現像器１２０Ｃ、Ｍ現像器１２０Ｍ、Ｙ現像器１２０Ｙと、各現像器を矢印で示す如く反時計回りの向きに回転させる、リボルバー回転駆動部（図示省略）などからなる。これら各現像器は、静電潜像を顕像化するために、現像剤の穂を感光体ドラム１１４の表面に接触させて回転する現像スリーブ１２０ＫＳ、１２０ＣＳ、１２０ＭＳ、１２０ＹＳと、現像剤を汲み上げ撹拌するために回転する現像パドルなどで構成されている。待機状態では、リボルバー現像装置１２０はＢＫ現像器１２０で現像を行う位置にセットされており、コピー動作が開始されると、スキャナ１０で所定のタイミングからＢＫ画像データの読み取りがスタートし、この画像データに基づき、レーザー光による光書き込み・潜像形成が始まる。以下、Ｂｋ画像データによる静電潜像をＢｋ潜像という。Ｃ、Ｍ、Ｙの各画像データについても同じ。このＢｋ潜像の先端部から現像可能とすべく、Ｂｋ現像器１２０Ｋの現像位置に潜像先端部が到達する前に、現像スリーブ１２０ＫＳを回転開始して、Ｂｋ潜像をＢｋトナーで現像する。そして、以後、Ｂｋ潜像領域の現像動作を続けるが、潜像後端部がＢｋ潜像位置を通過した時点で、速やかに、Ｂｋ現像器１２０Ｋによる現像位置から次の色の現像器による現像位置まで、リボルバー現像装置１２０を駆動して回動させる。この回動動作は、少なくとも、次の画像データによる潜像先端部が到達する前に完了させる。
【００２３】
像の形成サイクルが開始されると、感光体ドラム１１４は矢印で示すように反時計廻りの向きに回動し、中間転写ベルト１１５は図示しない駆動モータにより、時計廻りの向きに回動する。中間転写ベルト１１５の回動に伴って、ＢＫトナー像形成、Ｃトナー像形成、Ｍトナー像形成およびＹトナー像形成が順次行われ、最終的に、ＢＫ、Ｃ、Ｍ、Ｙの順に中間転写ベルト１１５上に重ねてトナー像が形成される。ＢＫ像の形成は、以下のようにして行われる。すなわち、帯電器１１９がコロナ放電によって、感光体ドラム１１４を負電荷で約−７００Ｖに一様に帯電する。つづいて、レーザダイオード１４１は、Ｂｋ信号に基づいてラスタ露光を行う。このようにラスタ像が露光されたとき、当初、一様に荷電された感光体ドラム１１４の露光された部分については、露光光量に比例する電荷が消失し、静電潜像が形成される。リボルバー現像装置１２０内のトナーは、フェライトキャリアとの撹拌によって負極性に帯電され、また、本現像装置のＢＫ現像スリーブ１２０ＫＳは、感光体ドラム１１４の金属基体層に対して図示しない電源回路によって、負の直流電位と交流とが重畳された電位にバイアスされている。この結果、感光体ドラム１１４の電荷が残っている部分には、トナーが付着せず、電荷のない部分、つまり、露光された部分にはＢｋトナーが吸着され、潜像と相似なＢｋ可視像が形成される。中間転写ベルト１１５は、駆動ローラ１１５Ｄ、転写対向ローラ１１５Ｔ、クリーニング対向ローラ１１５Ｃおよび従動ローラ群に張架されており、図示しない駆動モータにより回動駆動される。さて、感光体ドラム１１４上に形成したＢｋトナー像は、感光体と接触状態で等速駆動している中間転写ベルト１１５の表面に、ベルト転写コロナ放電器（以下、ベルト転写部という。）１１６によって転写される。以下、感光体ドラム１１４から中間転写ベルト１１５へのトナー像転写を、ベルト転写と称する。感光体ドラム１１４上の若干の未転写残留トナーは、感光体ドラム１１４の再使用に備えて、感光体クリーニングユニット１２１で清掃される。ここで回収されたトナーは、回収パイプを経由して図示しない排トナータンクに蓄えられる。
【００２４】
なお、中間転写ベルト１１５には、感光体ドラム１１４に順次形成する、Ｂｋ、Ｃ、Ｍ、Ｙのトナー像を、同一面に順次、位置合わせして、４色重ねのベルト転写画像を形成し、その後、転写紙にコロナ放電転写器にて一括転写を行う。ところで、感光体ドラム１１４側では、ＢＫ画像の形成工程のつぎに、Ｃ画像の形成工程に進むが、所定のタイミングから、スキャナ１０によるＣ画像データの読み取りが始まり、その画像データによるレーザー光書き込みで、Ｃ潜像の形成を行う。Ｃ現像器１２０Ｃは、その現像位置に対して、先のＢｋ潜像後端部が通過した後で、かつ、Ｃ潜像先端が到達する前に、リボルバー現像装置の回転動作を行い、Ｃ潜像をＣトナーで現像する。以降、Ｃ潜像領域の現像をつづけるが、潜像後端部が通過した時点で、先のＢｋ現像器の場合と同様にリボルバー現像装置１２０を駆動して、Ｃ現像器１２０Ｃを送り出し、つぎのＭ現像器１２０Ｍを現像位置に位置させる。この動作もやはり、つぎのＭ潜像先端部が現像部に到達する前に行う。なお、ＭおよびＹの各像の形成工程については、それぞれの画像データの読み取り、潜像形成、現像の動作が、上述のＢｋ像や、Ｃ像の工程に準ずるので、説明は省略する。
【００２５】
ベルトクリーニング装置１１５Ｕは、入口シール、ゴムブレード、排出コイルおよび、これら入口シールやゴムブレードの接離機構により構成される。１色目のＢｋ画像をベルト転写した後の、２、３、４色目を画像をベルト転写している間は、ブレード接離機構によって、中間転写ベルト面から入口シール、ゴムブレードなどは離間させておく。
【００２６】
紙転写コロナ放電器（以下、紙転写器という。）１１７は、中間転写ベルト１１５上の重ねトナー像を転写紙に転写するべく、コロナ放電方式にて、ＡＣ＋ＤＣまたは、ＤＣ成分を転写紙および中間転写ベルトに印加するものである。
【００２７】
転写紙カセット１８２Ｅおよび給紙バンク３５には、各種サイズの転写紙が収納されており、指定されたサイズの用紙を収納しているカセットから、給紙コロ１８３Ｅ等によってレジストローラ対１１８Ｒ方向に給紙・搬送される。なお、符号１１２Ｂ２は、ＯＨＰ用紙や厚紙などを手差しするための給紙トレイを示している。像形成が開始される時期に、転写紙は前記いずれかの給紙トレイから給送され、レジストローラ対４１８Ｒのニップ部にて待機している。そして、紙転写器１１７に中間転写ベルト１１５上のトナー像の先端がさしかかるときに、丁度、転写紙先端がこの像の先端に一致する如くにレジストローラ対１１８Ｒが駆動され、紙と像との合わせが行われる。このようにして、転写紙が中間転写ベルト上の色重ね像と重ねられて、正電位につながれた紙転写器１１７の上を通過する。このとき、コロナ放電電流で転写紙が正電荷で荷電され、トナー画像の殆どが転写紙上に転写される。つづいて、紙転写器１１７の左側に配置した図示しない除電ブラシによる分離除電器を通過するときに、転写紙は除電され、中間転写ベルト１１５から剥離されて紙搬送ベルト１２２に移る。中間転写ベルト面から４色重ねトナー像を一括転写された転写紙は、紙搬送ベルト１２２で定着器１２３に搬送され、所定温度にコントロールされた定着ローラ１２３Ａと加圧ローラ１２３Ｂのニップ部でトナー像を溶融定着され、排出ロール対１２４で本体外に送り出され、図示省略のコピートレイに表向きにスタックされる。
【００２８】
定着ローラ１２３Ａの内部には、定着ヒータ（ハロゲンランプ）１２３Ｃがあり、この定着ヒータ１２３Ｃに、定着通電回路８５（図４）が通電し、これにより定着ヒータ１２３Ｃが発熱し且つ赤外線を発生して、定着ローラ１２３Ｃを加熱する。
【００２９】
なお、ベルト転写後の感光体ドラム１１４は、ブラシローラ、ゴムブレードなどからなる感光体クリーニングユニット１２１で表面をクリーニングされ、また、除電ランプ１１４Ｍで均一除電される。また、転写紙にトナー像を転写した後の中間転写ベルト１１５は、再び、クリーニングユニット１１５Ｕのブレード接離機構でブレードを押圧して表面をクリーニングする。リピートコピーの場合には、スキャナの動作および感光体への画像形成は、１枚目の４色目画像工程にひきつづき、所定のタイミングで２枚目の１色目画像工程に進む。中間転写ベルト１１５の方は、１枚目の４色重ね画像の転写紙への一括転写工程にひきつづき、表面をベルトクリーニング装置でクリーニングされた領域に、２枚目のＢｋトナー像がベルト転写されるようにする。その後は、１枚目と同様動作になる。
【００３０】
図３に、図１に示す複写機の電気系システムの概要を示す。複写機メカ制御部すなわち画像読取りおよび画像形成プロセス制御の主要部に、メイン制御板５０上の１つのＭＰＵ５１と、スキャナ制御板１１上の１つのＣＰＵ１２が用いられている。ＭＰＵ５１は作像シーケンスおよび定着制御とシステム関係の制御を、ＣＰＵ１２はスキャナ関係の制御をそれぞれ行う。ＭＰＵ５１とＣＰＵ１２とは、画像データインターフェース及びシリアルインターフエースによって接続されている。
【００３１】
また、図３において、２０は操作部、７０はＩ／Ｏ制御板、９２は画像露光用のレーザ光を制御するＬＤ制御板、４１は給紙制御板、１３はＣＣＤを搭載する読み取り制御板、９０はマザーボードである。
【００３２】
６０，９１は、複合機能を実現するためのアプリケーション拡張ユニットで、９１は、ＦＡＸ機能を搭載したファクシミリ制御ユニット、６０は、パソコン，ワープロなどホストのドキュメントを印刷するプリンタ機能及びコピー，ファクシミリ，プリンタの複合動作モードを制御するためのプリンタコントローラ（ボード）である。８０は電源装置である。
【００３３】
図４に、電源装置８０から、ファクシミリ制御ユニット９１，定着ヒータ１２３Ｃ，Ｉ／Ｏ制御板（入出力インターフエイス）７０，メイン制御板（メインコントローラ）５０，マザーボード９０及びプリンタコントローラ６０への給電系統の概要、ならびに、プリンタコントローラ６０の概要を示す。
【００３４】
図４を参照すると、画像形成プロセスを制御するメイン制御板５０には、ＭＰＵ５１、ＣＰＵ周辺ＡＳＩＣ(Application Specific IC)５４、画像処理ＡＳＩＣ５３、およびプリンタコントローラ６０とのインタフェース機能および画像データの圧縮伸張機能を有したＩ／Ｆ（インターフェイス）５２がある。
【００３５】
システムの制御を司るプリンタコントローラ６０には、複合機能を実現するためのＭＰＵ６１とメイン制御板５０とのインタフェースと操作部との通信機能およびメモリの制御機能を有した周辺ＡＳＩＣ６４およびその他がある。
【００３６】
原稿を光学的に読み取る原稿スキャナ１０は、読み取りユニットにて、原稿に対するランプ照射の反射光をミラー及びレンズにより受光素子に集光する。受光素子（ＣＣＤ）は、センサー・ボード・ユニット（ＳＢＵ）１３にあり、ＣＣＤに於いて電気信号に変換された画像信号は、ＳＢＵ１３上でディジタル信号すなわち読取った画像デ−タに変換された後、ＳＢＵ１３から、メイン制御板５０上の画像処理ＡＳＩＣ５３に出力される。
【００３７】
ＳＢＵ１３からの読取り画像デ−タは、画像処理ＡＳＩＣ５３に転送され、画像処理ＡＳＩＣ５３が、光学系及びディジタル信号への量子化に伴う信号劣化（スキャナ系の信号劣化：スキャナ特性による読取り画像デ−タの歪）を補正し、該画像デ−タをプリンタコントローラ６０に転送して画像メモリＭＥＭ６５に書込む。又は、プリンタ出力のための処理を施してプリンタ１００のＬＤ制御板９２に与える。
【００３８】
すなわち、画像処理ＡＳＩＣ５３には、読取り画像デ−タを画像メモリＭＥＭ６５に蓄積して再利用するジョブと、メモリＭＥＭ６５に蓄積しないでＬＤ制御板９２上のビデオ・データ制御（ＶＤＣ）に出力してレ−ザプリンタ機能で作像出力するジョブとがある。ＭＥＭ６５に蓄積する例としては、１枚の原稿を複数枚複写する場合、スキャナ１０を１回だけ動作させ、読取り画像デ−タをＭＥＭ６５に蓄積し、蓄積データを複数回読み出す使い方がある。ＭＥＭ６５を使わない例としては、１枚の原稿を１枚だけ複写する場合、読取り画像デ−タをそのままプリンタ出力用に処理すれば良いので、ＭＥＭ６５への書込みを行う必要はない。
【００３９】
まず、メモリＭＥＭ６５を使わない場合、画像処理ＡＳＩＣ５３は、読取り画像データに画像読取り補正を施してから、面積階調に変換するための画質処理を行う。画質処理後の画像データはＬＤ制御板９２上のＶＤＣに転送する。面積階調に変化された信号に対し、ドット配置に関する後処理及びドットを再現するためのパルス制御をＶＤＣで行い、レ−ザプリンタ機能によって転写紙上に再生画像を形成する。
【００４０】
メモリＭＥＭ６５に蓄積し、それからの読み出し時に付加的な処理、例えば画像方向の回転，画像の合成等を行う場合は、画像読取り補正を施した画像データは、プリンタコントローラ６０の、画像メモリアクセス制御機能がある周辺ＡＳＩＣ６４に送られる。ここではＭＰＵ６１の、フラッシュＥＥＰＲＯＭに格納された動作プログラムに従った制御によって、画像データとメモリモジュ−ルＭＥＭ６５のアクセス制御，外部パソコンＰＣのプリント用データの展開（文字コ−ド／キャラクタビット変換），メモリー有効活用のための画像データの圧縮／伸張を行う。周辺ＡＳＩＣ６４へ送られたデータは、データ圧縮後ＭＥＭ６５へ蓄積し、蓄積データを必要に応じて読み出す。読み出しデータは伸張し、本来の画像データに戻し周辺ＡＳＩＣ６４から画像処理ＡＳＩＣ５３へ戻される。
【００４１】
画像処理ＡＳＩＣ５３へ戻されると、そこで画質処理を、そしてＬＣＤ制御板９２上のＶＤＣでのパルス制御を行い、レーザプリンタ機能によって転写紙上に顕像（トナ−像）を形成する。画像メモリＭＥＭ６５の構成と機能は、図６を参照して後述する。
【００４２】
複合機能の１つであるＦＡＸ送信機能は、原稿スキャナ１０の読取り画像データを画像処理ＡＳＩＣ５３にて画像読取り補正を施し、ＦＡＸ制御ユニット（ＦＣＵ）９１へ転送する。ＦＣＵ９１にて公衆回線通信網へのデータ変換を行い、該通信網へＦＡＸデータとして送信する。ＦＡＸ受信は、通信網からの回線データをＦＣＵ９１にて画像データへ変換し、画像処理ＡＳＩＣ５３へ転送される。この場合特別な画質処理は行わず、ＬＣＤ制御板９２上のＶＤＣにおいてドット再配置及びパルス制御を行い、レーザプリンタ機能によって転写紙上に顕像を形成する。ファクシミリ制御ユニットＦＣＵ９１の構成と機能は、図５を参照して後述する。
【００４３】
メイン制御板５０のＭＰＵ５１は、画像データの流れを制御し、システムコントローラ６０のＭＰＵ６１はシステム全体を制御し、各リソースの起動を管理する。このデジタル複合機能複写機の機能選択は、操作部２０にて選択入力し、コピー機能，ＦＡＸ機能等の処理内容を設定する。
【００４４】
プリンタコントローラ６０の電源は、休止モード時でも通電状態にある＋５ＶＥが供給される。メイン制御板５０には、休止モード時に通電がオフされる＋５Ｖが供給される。Ｉ／Ｏ制御板７０には、同じく休止モード時に通電がオフされる＋５Ｖと＋２４Ｖがそれぞれ供給される。
【００４５】
ＤＣ電源８０には、コンバータ出力の＋２４Ｖと＋５ＶＥ（＋５Ｖの電圧）にそれぞれスイッチ８３，８４が接続されている。これらのスイッチ８３，８４のオン／オフを行うための制御信号がプリンタコントローラ６０からスイッチ８３，８４に与えられる。省エネのための休止モードに移行するとき、プリンタコントローラ６０はこの制御信号でスイッチ８３および８４を共にオフにする。
【００４６】
定着制御８５の目標温度を、トナー像を転写した転写紙の定着処理に定められた定着動作温度として定着ローラの温度をそれに維持する、コピースタートあるいはプリントコマンドに応答して実質上遅れ時間無く画像形成を開始することが出来るスタンバイモード、及び、電力消費を低くするために目標温度を定着動作温度の８０％とし他はスタンバイモードと同様な状態であって操作入力があるとスタンバイモードへの復帰が直ちに行える低電力モード、ではプリンタコントローラ６０は上記制御信号でスイッチ８３および８４を共にオンにしている。
【００４７】
すなわち、休止モードではスイッチ８３，８４がオフで、プリンタコントローラ６０，操作部２０，圧板開閉検知の、複写機使用の可能性を伺わせるオペータの行為又はパソコンＰＣのプリントコマンドを検知するに最小限の電気素子又は回路に＋５ＶＥが継続して印加される。プリンタコントローラ６０においては、該検知を待ちそれに応答してスイッチ８３，８４をオンにする回路ならびに不揮発保持が必要とされるデータを格納するメモリに＋５ＶＥが継続して印加される。
【００４８】
なお、低電力モード時は、全てに電源が供給されており、定着ヒータ１２３Ｃの設定温度のみを下げている。
【００４９】
操作部２０からのキーインデータの解析や表示の制御は、プリンタコントローラ６０のＭＰＵ６１が制御を行い、操作部２０とのインターフェイスは周辺ＡＳＩＣ６４が受け持っている。周辺ＡＳＩＣ６４と操作部２０とは、この実施例では、マザーボード９０とメイン制御板５０およびスキャナ制御板１１を経由して接続されている。プリンタコントローラ６０には、操作部２０と同様にマザーボード９０とメイン制御板５０およびスキャナ制御板１１を経由して圧板開閉検知（図示略）が接続されている。
【００５０】
圧板開閉検知は、ＡＤＦ３０がスキャナに接続されている時には、ＡＤＦ３０の開閉を検出する検知スイッチであり、ＡＤＦ３０の装着が無い時には、原稿押さえ用の圧板の開閉を検出する検知スイッチである。いずれにしても圧板開閉検知は、ＡＤＦ又は原稿押さえ用の圧板が開放状態かどうかを示す信号を発生し、これが、画像処理動作状態，スタンバイモード，低電力モード及び休止モードのいずれの時でも、スキャナ制御板１０，メイン制御板５０及びマザーボード９０を介して、プリンタコントローラ６０の周辺ＡＳＩＣ６４に与えられ、ＭＰＵ６１がこの信号を読み取る。開放状態かどうかを示す信号を表すための電源（＋５ＶＥ）および操作部２０の入力キーのオンを検出して検出信号を発生するための電源（＋５ＶＥ）は、マザーボード９０，メイン制御板５０及びスキャナ制御板１０を介してて、プロセスコントローラ６０から、開閉検知スイッチおよび操作部２０に与える。
【００５１】
なお、ＡＤＦ３０を装備する場合、それはスキャナ制御板１１に接続される。ＡＤＦ３０の原稿台に原稿があるか否を検出する原稿センサの検出信号も、スキャナ制御板１０，メイン制御板５０及びマザーボード９０を介して、プリンタコントローラ６０の周辺ＡＳＩＣ６４に与えられ、ＭＰＵ６１がこの信号を読み取る。原稿センサが原稿の有無をあらわす検出信号を発生するための電源（＋５ＶＥ）も、マザーボード９０，メイン制御板５０及びスキャナ制御板１０を介してて、プロセスコントローラ６０から、原稿センサに与える。
【００５２】
図５に、ファクシミリ制御ユニットＦＣＵ９１の構成を示す。ＦＣＵ９１にて公衆回線通信網ＰＮへのデータ変換を行い、ＰＮへＦＡＸデータとして送信する。ＦＡＸ受信は、ＰＮからの回線データをＦＣＵ９１にて画像データへ変換し、ＡＳＩＣ６４を経由して、ＡＳＩＣ５３に直接に、又は一旦ＭＥＭ６５に蓄積してから、受信終了または蓄積量が限度に達したときに、ＡＳＩＣ６４を経由して、ＡＳＩＣ５３に転送される。この場合特別な画質処理は行わず、プリンタ１００においてドット再配置及びパルス制御を行い、プリンタ１００の作像ユニットに於いて転写紙上に顕像を形成する。
【００５３】
ファクシミリ制御ユニットＦＣＵ９１は、ＦＡＸ画像処理９３，画像メモリ９４，メモり制御部９６，ファクシミリ制御部９５，画像圧縮伸張９７，モデム９８及び網制御装置９９からなる。この内、ＦＡＸ画像処理９３に関し、受信画像に対する二値スムージング処理は、画像処理ＡＳＩＣ５３内のエッジ平滑処理において行う。又画像メモリ９４に関しても、出力バッファ機能に関しては周辺ＡＳＩＣ６４及び画像メモリＭＥＭ６５でその機能の一部をおぎなう。受信データを蓄積（格納）するときには、画像メモリＭＥＭ６５に蓄積する。
【００５４】
この様に構成されたファクシミリ制御ユニットＦＣＵ９１では、画像情報の伝送を開始するとき、ファクシミリ制御部９５がメモリ制御部９６に指令し、画像メモリ９４から蓄積している画像情報を順次読み出させる。読み出された画像情報は、ＦＡＸ画像処理９３によって元の信号に復元されるとともに、密度変換処理及び変倍処理がなされ、ファクシミリ制御部９５に加えられる。ファクシミリ制御部９５に加えられた画像信号は、画像圧縮伸張部９７によって符号圧縮され、モデム９８によって変調された後、網制御装置９９を介して宛先へと送出される。そして、送信が完了した画像情報は、画像メモリ９４から削除される。
【００５５】
受信時には、受信画像は一旦画像メモリ９４に蓄積され、その時に受信画像を記録出力可能であれば、１枚分の画像の受信を完了した時点で記録出力される。又、複写動作時に発呼されて受信を開始したときは、画像メモリ６５の使用率が所定値、例えば８０％に達するまでは画像メモリ６５に蓄積し、画像メモリ６５の使用率が８０％に達した場合には、その時に実行している書き込み動作を強制的に中断し、受信画像を画像メモリ６５から読み出し記録出力させる。このとき画像メモリ９４から読み出して画像メモリ６５に書きこんだ受信画像は画像メモリ９４から削除し、画像メモリ６５の使用率が所定値、例えば１０％まで低下した時点で中断していた書き込み動作を再開させ、その書き込み動作を全て終了した時点で、残りの受信画像を記録出力する。又、書き込み動作を中断した後に、再開できるように中断時に於ける書き込み動作のための各種パラメータを内部的に退避させ、再開時に、パラメータを内部的に復帰させる。
【００５６】
図６に、図４に示す画像メモリＭＥＭ６５の構成を示す。画像メモリ６５は、メモリーコントローラ６５１とメモリＲＡＭ６５７で構成されている。メモリコントローラ６５１は、入力データセレクタ６５２，画像合成６５３，１次圧縮／伸長６５４，出力データセレクタ６５５、および、２次圧縮／伸長６５６のブロックを有している。各ブロックへの制御データの設定は、ＭＰＵ６１が行なう。図６におけるデータとは画像データ（バス）を示しており、アドレスデ−タ（バス）および制御信号（バス）の図示は省略している。
【００５７】
メモリＲＡＭ６５７は、１次および２次記憶装置６５８および６５９からなる。１次記憶装置６５８は、入力画像データの転送速度に略同期してメモリへのデータ書き込み、または画像出力時のメモリからのデータ読み出しが高速に行えるように、例えばＤＲＡＭ等の高速アクセスが可能なメモリを使用している。また、１次記憶装置６５８は、処理を行う画像データの大きさにより複数のエリアに分割して画像データの入出力を同時に実行可能な構成（メモリコントローラとのインターフェース部）をとっている。各分割したエリアに画像データの入力，出力をそれぞれ並列に実行可能にするために、メモリコントローラ１２１とのインターフェースで、リード用とライト用の二組のアドレス・データ線で接続されている。これによりエリア１に画像を入力（ライト）する間にエリア２より画像を出力（リード）するという動作が可能になる。
【００５８】
２次記憶装置６５９は、入力された画像の合成，ソーティングを行うためにデータを保存しておく大容量のメモリである。１次，２次記憶装置とも、高速アクセス可能な素子を使用すれば、１次，２次の区別なくデータの処理が行え、制御も比較的簡単になるが、ＤＲＡＭ等の素子は高価なため、２次記憶装置６５７にはアクセス速度はそれほど速くないが、安価で、大容量の記録媒体を使用し、入出力データの処理を一次記憶装置６５８を介して行う構成になっている。
【００５９】
図７の（ａ）に、操作部２０の上面を拡大して示し、図７の（ｂ）には、操作部２０の回路ブロックを示す。操作部２０は、ケース，液晶表示装置（ＬＣＤ）２６ｆ，操作キー群２１ａ，２１ｂ，２１ｄ，２３，２４，表示ＬＥＤ（発光ダイオード）２１ｅ，２１ｆ，２２等によって構成されている。
【００６０】
電源キー２１ａは、省エネモード（休止モード）から作動モードに、またその逆への切換えを指示するための操作キーである。省エネモードが設定されている時には作動モードであることを表すための表示ＬＥＤ２１ｅは非点灯である。この状態で電源キー２１ａが一回押されると、省エネモードから作動モードに切換り、作動モード表示ＬＥＤ２１ｅが点灯する。作動モードであるときに電源キー２１ａが一回押されると、作動モードから省エネモードに切換り、作動モード表示ＬＥＤ２１ｅが消灯する。表示ＬＥＤ２１ｆは、複写機のコンセントが商用交流電源ラインに接続され、しかも複写機のおおもとの電源スイッチが閉の間は常時点灯している。つまり、複写機のおおもとの電源がオンであると、省エネモードか作動モードかに係わらず、表示ＬＥＤ２１ｆは点灯している。
【００６１】
図７の（ｂ）に、操作部２０の電気制御系を示す。この制御系の主体は、プリンタコントローラ６０のＭＰＵ６１とコミュニケーションし、操作部２０の入力を読取り、ボード上の表示を制御するＣＰＵ２５，このＣＰＵ２５の制御プログラムが格納されているＲＯＭ２６ｂ，制御時にデータの一時格納等を行うためのＲＡＭ２６ｃ，ＬＣＤ（表示パネル）２６ｆの描画データを格納するＶＲＡＭ２６ｅ，このＶＲＡＭ２６ｅに接続されＬＣＤ２６ｆの描画タイミング制御等を行う液晶表示コントローラ（ＬＣＤＣ）２６ｄ等がある。ＬＣＤＣ２６ｄには、ＣＦＬの光源をバックライト２７ｂとして有するＬＣＤ２６ｆが接続される。ＣＰＵ２５には更に、ＣＦＬバックライト２７ｂを駆動するインバータ２７ａ，操作キー群２１ａ，２１ｂ，２１ｄ，２３，２４のキーマトリクス２８ａ，表示ＬＥＤ２１ｅ，２１ｆ，２２のＬＥＤマトリクス２８ｃおよびそれらのＬＥＤを駆動するＬＥＤ駆動装置２８ｂ等が接続されている。また、ＣＰＵ２５が接続されたデータバスには、画像処理モード記憶用の不揮発性ＲＡＭ（ＮＶＲＡＭ）２６ａが接続されている。
【００６２】
図８および図９に、操作部２０のＣＰＵ２５とプリンタコントローラ６０のＭＰＵ６１の協働による、省エネモード／作動モード間の切換え制御を示す。まず図８を参照すると、図示しないおおもとの電源スイッチが閉じて電源装置８０が動作電圧（＋５ＶＥ）を与えると（ステップ１）、ＭＰＵ６１は、電源オン応答の初期化処理（ステップ２）をしてから、入力読取（ステップ３）を行う。なお、以下においては、カッコ内にはステップと言う語を省略してステップ番号数字のみを記す。ＭＰＵ６１は、初期化処理（２）において、スイッチ８３，８４をオンにして作動モードを設定する。これにより、動作電圧（＋５Ｖ，＋２４Ｖ）が各部の電気回路に加わる。
【００６３】
これに応答してＣＰＵ２５は自身の初期化処理をした後、作動モードであることを表すＬＥＤ２１ｅを点灯する。そしてＮＶＲＡＭ２６ａにある標準処理モードのコピー条件を読み出してＬＣＤ２６ｆに表示する。ＣＰＵ２５は、入力読取（３）では、操作部２０に対するユーザの操作を読み込んでＭＰＵ６１に報知する。ＭＰＵ６１は、この操作部２０の操作を解読し、また、ホストＰＣやＦＣＵ９１からのコマンドも解読する。次に、入力読取（３）の概要を示す。
【００６４】
ユーザがコピーのモード設定のために操作部２０に入力操作をすると、ＣＰＵ２５は、この入力操作の時間間隔をセーブするレジスタＲＴｉに、そこまでの時間間隔（経過時間）計測値Ｔｉを書込んで（４，５）、新たにモード設定入力間隔の計測を開始し（６）、この計測を行っていることを示す情報１をレジスタＦＴｉに書込む（７）。
【００６５】
初期設定キー２１ｄの押下があると、ＣＰＵ２５は入力モードリストを表示し、リスト上の画像処理モードが指定されると、ＣＰＵ２５は、レジスタＦＰＭのデータを参照して（８，９）、それが１（前回モードを指定）であると、０（標準処理モードを指定）に、０であると１に書き換えて、ＬＣＤ２６ｆの表示（省エネモードから作動モードに復帰した時に、前回の画像処理モードと標準処理モードのいずれを復帰デフォルト画面とするかの指定、の表示）も、それに対応して更新する（１０，１１）。これは、初期設定画面で、復帰デフォルト画面を通常のコピー標準画面（標準処理モード画面）と前回モード設定画面に切換可能とし、初期設定キー２１ｄを押下して、作動モードに復帰時の画像処理モード画面の指定を切換えるものである。
【００６６】
次に、図１０を参照して、「ｆａｘ受信の移行時間設定」（４０ｆｘ）の内容を説明する。初期設定キー２１ｄの押下があってＣＰＵ２５が入力モードリストをＬＣＤ２６ｆに表示し、ユーザが入力モードリストの、フアクシミリ受信の省エネモードへの移行時間Ｎの設定を指定すると、ＣＰＵ２５は、ＩＤ入力を促すセンテンスをＬＣＤ２６ｆに表示する（４１，４２）。テンキー入力があると、それがやはり入力モードリストのＩＤ登録ですでにＮＶＲＡＭ２６ａに登録したものであるかをチェックして（４３）、登録したものであると、移行時間Ｎの設定画面をＬＣＤ２６ｆに表示する（４４）。この画面は、現在設定中の移行時間Ｎ値とアップ／ダウンキーを表示するものであり、ユーザがアップ／ダウンキーにタッチすることにより、移行時間Ｎの表示値がアップダウンする（４５〜４７）。設定画面上の実行キーにタッチすると、ＮＶＲＡＭ２６ａの移行時間Ｎ値が、そのとき設定画面上に表示していたものに書きかえられる（４８）。表示中の移行時間Ｎの表示値にタッチすると、それが、フアクシミリ受信時に省エネモードへの移行をしない指定を意味するゴースト表示（見にくい低濃度表示）にかわる。ゴースト表示にタッチすると、フアクシミリ受信時の省エネモードへの移行を指定する鮮明な数字表示に変わる。設定画面上の実行キーにタッチすると、このような指定を表すデータがＮＶＲＡＭ２６ａに、ファクシミリ受信時の制御コマンドとして登録される。以上に説明した設定処理（４０ｆｘ）は、図９に示す「その他の入力処理」（４０）の中の一部である。
【００６７】
再度図８を参照する。モード登録キーの押下，コピースターキーの押下等、画像処理モードの設定の完了とみなしうる入力があるとＣＰＵ２５は、レジスタＦＴｉをクリアする（１２，１３）。すなわち、レジスタＦＴｉの、モード入力の時間間隔データを０にクリアする。この０は、タイマＴｄのタイムオーバにより作動モードから省エネモードに切換った時、画像処理モードの設定途中ではなかったことを意味する。レジスタＦＴｉの１は、該設定途中であった可能性が高いことを意味する。
【００６８】
コピースターキーの押下、あるいは、ホストＰＣまたはからの画像処理要求に応じて画像処理が開始される時には、Ｔｄ（例えば10sec）時限のタイマＴｄの計時動作を停止し（１４，１５）、画像処理が終了したときには該タイマＴｄの、新たなＴｄ時限の計時動作をスタートする（１６，１７）。
【００６９】
タイマＴｄがタイムオーバすると、ＣＰＵ２５は、ＬＣＤ２６ｆに表示中の画像処理モードを、ＮＶＲＡＭ２６ａに前回モードとして書込み（１８，１９）、省エネモードへの切換えを、ＭＰＵ６１に指示する。ＭＰＵ６１はこれに応答してスイッチ８３，８４をオフにする（２０）。すなわち、電力供給を、作動モードから省エネモード（休止モード）に切換える。
【００７０】
電源キー２１ａの押下があるとＣＰＵ２５は、現在省エネモード（ＬＥＤ２１ｅを消灯）であるかをチエックして（２２）、省エネモードでないと、つまり作動モードであると、画像処理指示（要求）を待っているレディ状態であるかをチエックして（２３）、そうであるとユーザが省エネモードへの切換えを指示したとみなして、ＬＣＤ２６ｆに表示中の画像処理モードを、ＮＶＲＡＭ２６ａに前回モードとして書込み（１９）、省エネモードへの切換えを、ＭＰＵ６１に指示する。ＭＰＵ６１はこれに応答してスイッチ８３，８４をオフにする（２０）。
【００７１】
省エネモードであった時に電源キー２１ａの押下があった場合には、ユーザが作動モードへの復帰を指示したとみなして、作動モードへの切換えをＭＰＵ６１に指示しかつＬＥＤ２１ｅを点灯して（２４）、タイマＴｄをスタートし（２５）、レジスタＦＴｉのデータをチエックする（２６）。ＭＰＵ６１はスイッチ８３，８４をオンにする。
【００７２】
レジスタＦＴｉのデータが１（前回の作動モードから省エネモードへの切換りが、ユーザの画像処理条件入力作業中であった可能性が高い）であると、レジスタＦＴｉをクリアして（３４）、画像処理条件入力の時間間隔Ｔｉ（レジスタＲＴｉのデータ）が、設定値Ｔｐ以上（これを画像処理モードの設定にてこずっていたと見なす）かをチエックして（３５）、そうであると、ＮＶＲＡＭ２８から、前回モードの画像処理条件（コピーモード）を読み出してＬＣＤ２６ｆに表示し（２８）、レジスタＦＮＭには、前回モードの画像処理条件を設定中であることを示す０を書込む（２９）。これはレジスタＦＮＭを初期化することと同義である。そして、前回モードを設定中であることを示すＬＥＤ５６を点灯する（３０）。このような処理があることにより、ユーザのコピー処理モード（画像処理モード）を設定する操作時間（ＲＴｉ）が設定時間（Ｔｐ）を経過した場合には、ユーザが複雑なモード設定をしていると見なし、作動モードから省エネモードに移行してしまっても、その後の作動モードへの復帰時には、先ず前回モード設定画面が、ＬＣＤ２６ｆに表示される。
【００７３】
ところで、作動モードに復帰する時にレジスタＦＴｉのデータが０のときには、前回の省エネモードへの移行はユーザのモード設定を阻害していないと見なす。この場合には、レジスタＦＰＭのデータが１（初期設定画面で、復帰デフォルト画面を前回モード設定画面に指定している）であると、ＮＶＲＡＭ２８から、前回モードのコピーモードを読み出してＬＣＤ２６ｆに表示し（２８）、レジスタＦＮＭには、前回モードのコピーモードを設定中であることを示す０を書込み（２９）、前回モードを設定中であることを示すＬＥＤ５６を点灯する（３０）。レジスタＦＰＭのデータが０（初期設定画面で、復帰デフォルト画面を標準処理モード設定画面に指定している）であると、ＮＶＲＡＭ２８から、標準処理モードのコピーモード（画像処理条件）を読み出してＬＣＤ２６ｆに表示し（３１）、レジスタＦＮＭには、標準処理モードのコピー条件を設定中であることを示す１を書込み（３２）、前回処理モードを設定中であることを示すＬＥＤ５６を消灯する（３３）。このように、省エネモードから作動モードへの復帰時の画面表示のデフォルトが初期設定キー２１ｄによる初期設定（８〜１１：ＦＰＭ）で指定されたものとなり、ユーザの選択自由度が高い。
【００７４】
外部からの画像処理要求があると、それがＦＣＵ９１からのファクシミリ着信であるとＭＰＵ６１は、「ｆａｘ受信の給電制御」（５０）を実行する（３６−４９−５０）。この内容は、図１１を参照して後述する。外部からの画像処理要求がホストのパソコンＰＣからのプリントアウトコマンドであるとＭＰＵ６１は、これをＣＰＵ２５に報知してプリントアウト制御に進む（３６−４９−３７）。ＣＰＵ２５は、現在が省エネモードであるかをチエックして（３７）、省エネモードであると、「作動モードを設定」（２４）以下の、前述の処理に進む。
【００７５】
モード切換キー２１ｂの押下があると、ＣＰＵ２５は、レジスタＦＮＭのデータをチェックして（３８，３９）、それが１（現在標準処理モードを設定中）であると、ＮＶＲＡＭ２８から、前回モードのコピーモードを読み出してＬＣＤ２６ｆに表示し（２８）、レジスタＦＮＭには、前回モードのコピーモードを設定中であることを示す０を書込み（２９）、前回モードを設定中であることを示すＬＥＤ５６を点灯する（３０）。レジスタＦＮＭのデータが０（現在前回処理モードを設定中）であると、ＮＶＲＡＭ２８から、標準処理モードのコピーモードを読み出してＬＣＤ２６ｆに表示し（３１）、レジスタＦＮＭには、標準処理モードのコピー条件を設定中であることを示す１を書込み（３２）、前回処理モードを設定中であることを示すＬＥＤ５６を消灯する（３３）。
【００７６】
このように、ユーザは、モード設定の画面表示をモード切換キー２１ｂで切換える事が出来、モード設定の操作性がアップする。また、初期設定画面で、復帰デフォルト画面を標準処理モード設定画面に指定している時（ＦＰＭ＝０）には、前ユーザが問題なくコピーを終了し、その後省エネモードに切換り、そしてまた作動モードに復帰した場合は、デフォルト画面表示（標準処理モード設定画面）になるので、次のユーザが誤って前ユーザの設定画面でコピーを行うという不具合も解消される。
【００７７】
操作部２０のＣＰＵ２５は、以上に説明した入力読取と入力対応処理の他に、置数キーの押下の読込と入力数字データの生成，スタートキーの押下の読込みと、スタート指示のＭＰＵ６１への転送，用紙サイズの切換え入力の読取りなど、通常の複写機の操作／表示ボードの入出力制御を行う。これらの処理も一括して、図９に示した「その他の入力処理」（４０）に含まれる。
【００７８】
図１１に、図９上の「ｆａｘ受信の給電制御」（５０）の内容を示す。プリンタコントローラ６０のＭＰＵ６１は、ＦＣＵ９１からの、網制御装置９９がリンギング信号を検出しＦＣＵ９１がファクシミリ着信を報知するとプリンタコントローラ６０のＭＰＵ６１は「ｆａｘ受信の給電制御」（５０）に進む。そこではまず、現在の給電モード（作動モード／低電力モード／休止モード）をレジスタにセーブ（保存）して（５１）、作動モードを設定する（５２）。すなわち、スイッチ８３，８４をオンにして、定着ヒータ１２３Ｃの、目標温度制御を開始する。そして、ＮＶＲＡＭ２６にファクシミリ受信時の省エネモードへの移行を指定するデータがあると、ＦＣＵ９１の、１頁の情報の受信開始の報知に応答して、計時を開始し（５３，５４）、１頁の受信終了をＦＣＵ９１が報知してくるのを待つ（５６）。待っている間、計時値が、ＮＶＲＡＭ２６ａの移行時間Ｎを過ぎたかをチェックする（５５）。
【００７９】
移行時間Ｎを過ぎるまでに１頁分の情報を受信すると、そのプリントアウトを開始し（５７）、通信が終了していないと、次のページの受信を待つ（５３）。次のページの情報の受信が始まると、また新たに計時を開始する（５４）。各ページの情報受信時間がすべて移行時間Ｎ未満であると、１頁分の情報を受信する度にそのプリントアウトが行われる。
【００８０】
あるページの情報を受信中に計時値が移行時間Ｎ以上になると、ＭＰＵ６１は、省エネモード（休止モード）を設定して（５９）、すなわちスイッチ８３，８４をオフにして、受信データをＭＥＭ６５に蓄積書込みする受信記憶を開始する（６０）。その後は、通信の終了まで省エネモードを維持し、受信データはＭＥＭ６５に書込む。通信が終了すると、省エネモードに切換えた時に受信中であったページから、ＭＥＭ６５の受信データを読み出してプリントアウトする（６３）。これを終了すると、ファクシミリ受信の開始時の給電モードをレジスタから読出して、設定する（６４）。すなわち、受信の開始時が作動モードであつたときには、スイッチ８３，８４をオンにして、定着ヒータの定着目標温度制御を開始する。受信の開始時が省エネモードであったときにはスイッチ８３，８４をオフにし、低電力モードであったときには、スイッチ８３，８４をオンにして、定着ヒータの定着目標温度×８０％を目標値とする温度制御を開始する。
【００８１】
−第２実施例−
第２実施例のハードウエアは、上述の第１実施例と同じである。しかし、第２実施例のファクシミリ受信時の給電モード制御は、第１実施例のものと少し異なる。
【００８２】
図１２に、第２実施例の「ｆａｘ受信の給電制御」（５０）の内容を示す。第１実施例では、あるページの情報を受信中に計時値が移行時間Ｎ以上になると、省エネモードを設定して（５９）、その後は、通信の終了まで省エネモードを維持する。しかしこの第２実施例では、あるページの情報を受信中に計時値が移行時間Ｎ以上になるとそこで省エネモードを設定するが（５５，５９）、該ページの受信が終了した時点で作動モードを設定して該ページのプリントアウトを開始する（６５−６６−５７）。したがって、省エネモードは、情報の受信時間が移行時間Ｎを超える頁の、以降時間Ｎを超えてから情報受信の終了までとなる。その他の処理は、第１実施例と同様である。
【００８３】
【発明の効果】
ファクシミリ情報の１頁の受信時間が設定値(N)以上になると自動的に動作電力ライン(+5V,+24V)の給電が絶え、すなわち省エネモードに切換るので、省エネが実現する。ファクシミリ情報の１頁の受信が設定値(N)未満で終わる時には、動作電力ライン(+5V,+24V)の給電が継続しファクシミリ情報の１頁の受信が終了次第画像形成出来るので、受信記録の即応性と省エネが両立する。
【図面の簡単な説明】
【図１】  本発明の第１実施例の外観を示す正面図である。
【図２】  図１に示すプリンタ１００の画像形成機構の概要を示すブロック図である。
【図３】  図１に示す第１実施例の複合機能複写機の電気系統のシステム構成を示すブロック図である。
【図４】  図３に示す電源装置８０およびプリンタコントローラ６０の構成の概要を示すブロック図である。
【図５】  図３に示すファクシミリ制御ユニット９１の構成の概要を示すブロック図である。
【図６】  図３に示す画像メモリＭＥＭ６５の構成の概要を示すブロック図である。
【図７】  （ａ）は、図１および図３に示す操作部２０の、一部分の拡大平面図、（ｂ）は電気システムを示すブロック図である。
【図８】  図４に示すプリンタコントローラ６０のＭＰＵ６１の、操作部２０のＣＰＵ２５を利用する給電モード制御の一部を示すフローチャートである。
【図９】  図４に示すプリンタコントローラ６０のＭＰＵ６１の、操作部２０のＣＰＵ２５を利用する給電モード制御の残部を示すフローチャートである。
【図１０】  図９に示す「その他の入力処理」（４０）の内容の一部を示すフローチャートである。
【図１１】  図９に示す「ｆａｘ受信の給電制御」（５０）の内容を示すフローチャートである。
【図１２】  本発明の第２実施例の、「ｆａｘ受信の給電制御」（５０）の内容を示すフローチャートである。
【符号の説明】
２１ａ：電源キー  ２１ｂ：モード切換えキー
２１ｃ：ＬＥＤ    ２１ｄ：初期設定キー
２６ｆ：ＬＣＤ    ２３，２４：操作キー群
２１ｅ，２１ｆ，２２：表示ＬＥＤ
１００：カラープリンタ
【図１】
0004144837.tif 000002
【図２】
0004144837.tif 000003
【図３】
0004144837.tif 000004
【図４】
0004144837.tif 000005
【図５】
0004144837.tif 000006
【図６】
0004144837.tif 000007
【図７】
0004144837.tif 000008
【図８】
0004144837.tif 000009
【図９】
0004144837.tif 000010
【図１０】
0004144837.tif 000011
【図１１】
0004144837.tif 000012
【図１２】
0004144837.tif 000013